(57)【特許請求の範囲】
【請求項１】
テレビジョン放送の信号を受信する受信部と、
当該受信部が受信する前記信号の強度を取得する信号強度取得部と、
前記信号の強度が所定の視聴可能値よりも大きい際に、前記受信部の少なくとも位置を取得する受信時状態取得部と、
前記信号強度取得部が取得した前記信号の強度に関する強度情報と、前記受信時状態取得部が取得した前記受信部の位置に関する位置情報とを関連付けて記憶する記憶部と、
前記信号を受信する際に、前記受信部の位置が、前記記憶部に記憶されている前記位置情報が示す位置となるように前記受信部を導かせるための情報を提供する誘導部と、
を備え、
前記受信時状態取得部は、さらに、前記信号の強度が前記視聴可能値よりも大きい際に、前記受信部の姿勢を取得し、
前記記憶部は、前記強度情報と、前記位置情報とに加えて、さらに、前記受信時状態取得部が取得した前記受信部の姿勢に関する姿勢情報とをそれぞれ関連付けて記憶し、
前記誘導部は、さらに、前記受信部の姿勢が、前記記憶部に記憶されている前記姿勢情報が示す姿勢となるように前記受信部を導かせるための情報を提供することを特徴とする携帯テレビジョン装置。
【請求項２】
前記姿勢情報は、前記受信部の水平面上での向きに関する方向情報を含むことを特徴とする請求項１に記載の携帯テレビジョン装置。
【請求項３】
前記姿勢情報は、前記受信部の鉛直方向に対する傾きに関する傾き情報を含むことを特徴とする請求項１又は請求項２に記載の携帯テレビジョン装置。
【請求項４】
テレビジョン放送の信号を受信する受信部と、
当該受信部が受信する前記信号の強度を取得する信号強度取得部と、
前記信号の強度が所定の視聴可能値よりも大きい際に、前記受信部の少なくとも位置を取得する受信時状態取得部と、
前記信号強度取得部が取得した前記信号の強度に関する強度情報と、前記受信時状態取得部が取得した前記受信部の位置に関する位置情報とを関連付けて記憶する記憶部と、
前記信号を受信する際に、前記受信部の位置が、前記記憶部に記憶されている前記位置情報が示す位置となるように前記受信部を導かせるための情報を提供する誘導部と、
画像を表示する表示部と、
撮像手段と、
を備え、
前記受信時状態取得部は、前記信号の強度が前記視聴可能値よりも大きい際に、前記撮像手段から画像を取得し、
前記記憶部は、前記強度情報と、前記撮像手段が撮像した画像とを関連付けて記憶し、
前記誘導部は、前記受信部を導かせるための情報として、前記表示部に前記撮像手段が撮像した画像を案内用撮像画像として表示させることを特徴とする携帯テレビジョン装置。
【請求項５】
前記表示部は、テレビジョン放送の映像と、前記案内画像とを同時に表示することを特徴とする請求項４に記載の携帯テレビジョン装置。
【請求項６】
前記誘導部は、前記受信部の水平面上の位置と、前記受信部の鉛直方向の位置とを三次元で示す画像を前記案内画像として前記表示部に表示させることを特徴とする請求項４又は請求項５に記載の携帯テレビジョン装置。
【請求項７】
テレビジョン放送の信号を受信する受信部と、
当該受信部が受信する前記信号の強度を取得する信号強度取得部と、
前記信号の強度が所定の視聴可能値よりも大きい際に、前記受信部の少なくとも位置を取得する受信時状態取得部と、
前記信号強度取得部が取得した前記信号の強度に関する強度情報と、前記受信時状態取得部が取得した前記受信部の位置に関する位置情報とを関連付けて記憶する記憶部と、
前記信号を受信する際に、前記受信部の位置が、前記記憶部に記憶されている前記位置情報が示す位置となるように前記受信部を導かせるための情報を提供する誘導部と、
を備え、
前記誘導部は、前記受信部の現在の位置と、前記記憶部に記憶されている前記位置情報が示す位置との差が所定のモード切替値未満になると、前記受信部の現在の位置と前記記憶部に記憶されている前記位置情報が示す位置との差がモード切替値以上の場合とは異なる種類の情報を、前記受信部を導かせるための情報として提供することを特徴とする携帯テレビジョン装置。
【請求項８】
前記誘導部は、前記信号の現在の強度が前記視聴可能値以下である場合に、前記受信部を導かせるための情報を提供することを特徴とする請求項１から請求項７のいずれか１項に記載の携帯テレビジョン装置。
【請求項９】
前記位置情報は、前記受信部の水平面上での位置に関する水平位置情報を含むことを特徴とする請求項１から請求項８のいずれか１項に記載の携帯テレビジョン装置。
【請求項１０】
前記位置情報は、前記受信部の鉛直方向での高さに関する高度情報を含むことを特徴とする請求項１から請求項９のいずれか１項に記載の携帯テレビジョン装置。
【発明の詳細な説明】
【技術分野】
【０００１】
本発明は、テレビジョン放送の映像及び音声を再生する携帯テレビジョン装置に関する。
【背景技術】
【０００２】
近年、携帯電話機、ノート型パーソナルコンピュータ、携帯ゲーム機、携帯テレビジョン専用装置等には、テレビジョン放送の映像及び音声を再生できる装置がある。以下、テレビジョン放送の映像及び音声を再生することを、単に、テレビジョン放送を再生するという。このような携帯テレビジョン装置は、主に、「携帯電話・移動体端末向けの１セグメント部分受信サービス（通称ワンセグ）」といわれる地上デジタルテレビジョン放送を再生する。例えば、特許文献１には、地上デジタルテレビジョン放送の受信状況を数値で表示させ、受信状況値が時間の経過と共に変化する様子をユーザーに視覚的に把握させることができる受信状況表示装置が記載されている。
【先行技術文献】
【特許文献】
【０００３】
【特許文献１】特開２００７−２８８５１５号公報
【発明の概要】
【発明が解決しようとする課題】
【０００４】
携帯テレビジョン装置は、据え置き型のテレビジョン装置と異なり、ユーザーが持ち出すことができる。このため、携帯テレビジョン装置は、一定の位置や一定の姿勢でテレビジョン放送の電波を受信するとは限らない。また、テレビジョン放送の電波は、受信する位置や姿勢によって電波の強度が変化する。したがって、テレビジョン放送の電波を受信する位置によっては、受信した電波の強度が必要な強度に満たない場合もある。このため、受信した電波の強度が必要な強度に満たない場合、ユーザーは、電波の強度が必要な強度よりも大きくなるような位置や姿勢を探す必要がある。従って、従来の携帯テレビジョン装置は、テレビジョン放送を再生するために要するユーザーの手間が増加するおそれがある。
【０００５】
本発明は、上記に鑑みてなされたものであって、テレビジョン放送を再生するために要するユーザーの手間を低減できる携帯テレビジョン装置を提供することを目的とする。
【課題を解決するための手段】
【０００６】
上述した課題を解決し、目的を達成するために、本発明に係る携帯テレビジョン装置は、テレビジョン放送の信号を受信する受信部と、当該受信部が受信する前記信号の強度を取得する信号強度取得部と、前記信号の強度が所定の視聴可能値よりも大きい際に、前記受信部の少なくとも位置を取得する受信時状態取得部と、前記信号強度取得部が取得した前記信号の強度に関する強度情報と、前記受信時状態取得部が取得した前記受信部の位置に関する位置情報とを関連付けて記憶する記憶部と、前記信号を受信する際に、前記受信部の位置が、前記記憶部に記憶されている前記位置情報が示す位置となるように前記受信部を導かせるための情報を提供する誘導部と、を備えることを特徴とする。
【０００７】
本発明の好ましい態様としては、前記受信時状態取得部は、さらに、前記信号の強度が前記視聴可能値よりも大きい際に、前記受信部の姿勢を取得し、前記記憶部は、前記強度情報と、前記位置情報とに加えて、さらに、前記受信時状態取得部が取得した前記受信部の姿勢に関する姿勢情報とをそれぞれ関連付けて記憶し、前記誘導部は、さらに、前記受信部の姿勢が、前記記憶部に記憶されている前記姿勢情報が示す姿勢となるように前記受信部を導かせるための情報を提供することが望ましい。
【０００８】
本発明の好ましい態様としては、前記姿勢情報は、前記受信部の水平面上での向きに関する方向情報を含むことが望ましい。
【０００９】
本発明の好ましい態様としては、前記姿勢情報は、前記受信部の鉛直方向に対する傾きに関する傾き情報を含むことが望ましい。
【００１０】
本発明の好ましい態様としては、前記誘導部は、前記信号の現在の強度が前記視聴可能値以下である場合に、前記受信部を導かせるための情報を提供することが望ましい。
【００１１】
本発明の好ましい態様としては、前記位置情報は、前記受信部の水平面上での位置に関する水平位置情報を含むことが望ましい。
【００１２】
本発明の好ましい態様としては、前記位置情報は、前記受信部の鉛直方向での高さに関する高度情報を含むことが望ましい。
【００１３】
本発明の好ましい態様としては、画像を表示する表示部を備え、前記誘導部は、前記受信部を導かせるための情報として、前記表示部に画像を案内画像として表示させることが望ましい。
【００１４】
本発明の好ましい態様としては、撮像手段を備え、前記受信時状態取得部は、前記信号の強度が前記視聴可能値よりも大きい際に、前記撮像手段から画像を取得し、前記記憶部は、前記強度情報と、前記撮像手段が撮像した画像とを関連付けて記憶し、前記誘導部は、前記受信部を導かせるための情報として、前記表示部に前記撮像手段が撮像した画像を案内用撮像画像として表示させることが望ましい。
【００１５】
本発明の好ましい態様としては、前記表示部は、テレビジョン放送の映像と、前記案内画像とを同時に表示することが望ましい。
【００１６】
本発明の好ましい態様としては、前記誘導部は、前記受信部の水平面上の位置と、前記受信部の鉛直方向の位置とを三次元で示す画像を前記案内画像として前記表示部に表示させることが望ましい。
【００１７】
本発明の好ましい態様としては、前記誘導部は、前記受信部の現在の位置と、前記記憶部に記憶されている前記位置情報が示す位置との差が所定のモード切替値未満になると、前記受信部の現在の位置と前記記憶部に記憶されている前記位置情報が示す位置との差がモード切替値以上の場合とは異なる種類の情報を、前記受信部を導かせるための情報として提供することが望ましい。
【発明の効果】
【００１８】
本発明に係る携帯テレビジョン装置は、テレビジョン放送を再生するために要するユーザーの手間を低減できるという効果を奏する。
【図面の簡単な説明】
【００１９】
【図１】図１は、携帯電話機の表示部側を示す正面図である。
【図２】図２は、携帯電話機の背面側を示す正面図である。
【図３】図３は、携帯電話機の制御装置の構成を示すブロック図である。
【図４】図４は、制御装置が実行する学習手順を示すフローチャートである。
【図５】図５は、ＣＮ比と、地上デジタル放送用受信アンテナの位置及び姿勢との関係を示す図表である。
【図６】図６は、制御装置が実行する案内手順を示すフローチャートである。
【図７】図７は、画像表示パネルに表示される案内情報としての第１案内画像を示す説明図である。
【図８】図８は、画像表示パネルに表示される案内情報としての第２案内画像を示す説明図である。
【発明を実施するための形態】
【００２０】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下、携帯テレビジョン装置として携帯電話機を説明するが、本発明の適用対象は携帯電話機に限定されない。例えば、ＰＨＳ（Personal Handy phone System）、ＰＤＡ（Personal Digital Assistant）、ノート型パーソナルコンピュータ、携帯ゲーム機、ポータブルナビゲーション装置等に対しても本発明を適用できる。また、以下に示す実施形態では、本発明は、テレビジョン放送として、携帯電話・移動体端末向けの１セグメント部分受信サービス、いわゆるワンセグ放送を受信するものとして説明するが、本発明が受信する放送としては、例えば、１２セグメントの地上デジタル放送や、アナログ放送、デジタルラジオ放送でもよい。
【００２１】
（実施形態）
図１は、携帯電話機の表示部側を示す正面図である。図２は、携帯電話機の背面側を示す正面図である。携帯電話機１は、無線通信機能を備えた携帯電話機である。携帯電話機１は、図１及び図２に示すように、各装置が筐体１０に設けられる。筐体１０は、例えば、第１筐体１０ａと第２筐体１０ｂとを含んで構成される。第１筐体１０ａは、第２筐体１０ｂに対して回動できるようにヒンジ機構１１で連結される。携帯電話機１は、いわゆる折り畳み式の携帯電話機である。ここで、携帯電話機１は、第１筐体１０ａが第２筐体１０ｂに対してスライドできるように連結されてもよいし、単一の筐体で構成されてもよい。
【００２２】
図３は、携帯電話機の制御装置の構成を示すブロック図である。携帯電話機１は、図１に示すように、筐体１０内に、制御装置１２を備える。また、携帯電話機１は、筐体１０内に配置されるとともに制御装置１２と電気的に接続される装置群として、図３に示すように、画像表示パネル１４と、操作部１６と、マイク１８と、レシーバ２０と、スピーカ２２と、撮像手段としてのカメラ２４と、ＧＰＳ（Global Positioning System）アンテナ２６と、受信部としての地上デジタル放送用受信アンテナ２８と、通信用アンテナ２９と、地磁気センサ３０と、加速度センサ３２と、気圧センサ３４とを備える。
【００２３】
画像表示パネル１４は、例えば、液晶パネルである。画像表示パネル１４は、電話番号やメールの内容、待ち受け画面等の画像を表示する。画像表示パネル１４は、例えば、図１に示すように第１筐体１０ａに露出して設けられる。操作部１６は、図１に示すように、第２筐体１０ｂにボタン部分が露出して配置される。操作部１６は、携帯電話機１のユーザーによって操作される。制御装置１２は、操作部１６を介してユーザーが入力した情報を取得する。
【００２４】
マイク１８は、音声を電気信号に変換する。制御装置１２は、電気信号に変換された音声をマイク１８から取得する。マイク１８は、例えば、図１に示す第２筐体１０ｂの内部に設けられる。レシーバ２０は、電気信号を音声に変換する。制御装置１２は、音声をレシーバ２０から出力する。レシーバ２０は、例えば、図１に示す第１筐体１０ａの内部に設けられる。スピーカ２２は、電気信号を音声に変換する。制御装置１２は、音声をスピーカ２２から出力する。スピーカ２２は、例えば、図２に示す第２筐体１０ｂの内部に設けられる。カメラ２４は、撮像装置である。制御装置１２は、カメラ２４の動作を制御するとともに、カメラ２４が撮像した画像を取得する。カメラ２４は、例えば、図２に示す第１筐体１０ａに設けられる。
【００２５】
ＧＰＳアンテナ２６は、地上デジタル放送用受信アンテナ２８の位置の１つである地上デジタル放送用受信アンテナ２８の地球上での現在の位置を検出するための装置である。制御装置１２は、数あるＧＰＳ衛星のうちの複数の衛星からＧＰＳアンテナ２６で受信した信号を取得する。制御装置１２は、前記信号に基づいて、ＧＰＳアンテナ２６の現在の水平位置を算出（取得）する。ＧＰＳアンテナ２６及び地上デジタル放送用受信アンテナ２８は、例えば図１に示す第２筐体１０ｂにそれぞれ固定されている。このため、ＧＰＳアンテナ２６と地上デジタル放送用受信アンテナ２８との相対的な位置は変化しない。制御装置１２は、ＧＰＳアンテナ２６の現在の位置を算出することにより、地上デジタル放送用受信アンテナ２８の現在の地球上での水平位置を算出（取得）する。
【００２６】
地上デジタル放送用受信アンテナ２８は、テレビジョン放送の信号を受信するためのアンテナである。制御装置１２は、地上デジタル放送用受信アンテナ２８で受信したテレビジョン放送の信号を取得する。通信用アンテナ２９は、携帯電話機１と他の携帯電話機との通信を実現するためのアンテナである。また、通信用アンテナ２９は、携帯電話機１と通信回線とを接続するためのアンテナでもある。
【００２７】
地磁気センサ３０は、地上デジタル放送用受信アンテナ２８の姿勢の１つである地上デジタル放送用受信アンテナ２８の向きを検出するための装置である。具体的には、地磁気センサ３０は、地磁気の方向に対する自身（地磁気センサ３０）の水平面上での角度を検出する。本実施形態では、地磁気の方向に対する水平面上での角度を単に方向という。制御装置１２は、地磁気センサ３０から取得した信号に基づいて、地磁気の方向に対する自身（地磁気センサ３０）の水平面上での角度を算出する。ここで、地上デジタル放送用受信アンテナ２８及び地磁気センサ３０は、例えば図１に示す第２筐体１０ｂにそれぞれ固定されている。このため、地上デジタル放送用受信アンテナ２８と地磁気センサ３０との相対的な位置は変化しない。制御装置１２は、地磁気センサ３０の方向を算出することにより、地上デジタル放送用受信アンテナ２８の方向を算出（取得）する。
【００２８】
加速度センサ３２は、地上デジタル放送用受信アンテナ２８の姿勢の１つである地上デジタル放送用受信アンテナ２８の傾きを検出するための装置である。具体的には、加速度センサ３２は、地球の重力加速度を検出し、鉛直方向に対する自身（加速度センサ３２）の角度を検出する。本実施形態では、鉛直方向に対する角度を単に傾きという。制御装置１２は、加速度センサ３２から取得した信号に基づいて、鉛直方向に対する自身（加速度センサ３２）の角度を算出する。ここで、地上デジタル放送用受信アンテナ２８及び加速度センサ３２は、例えば図１に示す第２筐体１０ｂにそれぞれ固定されている。このため、地上デジタル放送用受信アンテナ２８と加速度センサ３２との相対的な位置は変化しない。制御装置１２は、加速度センサ３２の傾きを算出することにより、地上デジタル放送用受信アンテナ２８の傾きを算出（取得）する。
【００２９】
気圧センサ３４は、地上デジタル放送用受信アンテナ２８の位置の１つである地上デジタル放送用受信アンテナ２８の鉛直方向での高度を検出するための装置である。具体的には、気圧センサ３４は、現在の気圧を検出する。制御装置１２は、気圧センサ３４から取得した気圧データに基づいて、地上デジタル放送用受信アンテナ２８の高度を算出する。ここで、気圧は天候により変化する。よって、気圧は常に一定ではない。従って、制御装置１２は、例えば、まず、ＧＰＳアンテナ２６で検出した地上デジタル放送用受信アンテナ２８の位置、つまり現在地の近くにおける現在の気圧を通信回線から取得する。そして、制御装置１２は、通信回線から取得した気圧に基づいて実際の気圧を補正し、気圧センサ３４がある位置の現在の高度を算出する。なお、気圧センサ３４は、ＧＰＳよりも詳細な鉛直方向の位置を検出できる精度を有している。例えば、気圧センサ３４は、携帯電話機１が建物内の何階にあるかを判断できる精度を最低限有していればよい。地上デジタル放送用受信アンテナ２８及び気圧センサ３４は、例えば図１に示す第２筐体１０ｂにそれぞれ固定されている。したがって、地上デジタル放送用受信アンテナ２８と気圧センサ３４との相対的な位置は変化しない。制御装置１２は、気圧センサ３４の高度を算出することにより、地上デジタル放送用受信アンテナ２８がある位置の高度を算出（取得）する。
【００３０】
次に、制御装置１２の構成を説明する。ここで、以下に説明する各部は、本実施形態では１つの装置内にまとめられて構成されるが、例えば、制御装置１２は、次に説明する各部がそれぞれ別々の装置で構成されて、それぞれの装置が電気的に接続されることによって構成されてもよい。制御装置１２は、図３に示すように、音声処理部１２ａと、通信部１２ｂと、表示制御部１２ｃと、誘導部１２ｄと、放送信号受信部１２ｅと、信号強度取得部としての信号強度算出部１２ｆと、受信時状態取得部としての受信時状態算出部１２ｇと、主処理部１２ｈと、記憶部１２ｉと、Ｉ／Ｏインターフェイス１２ｊとを含んで構成される。
【００３１】
音声処理部１２ａは、Ｉ／Ｏインターフェイス１２ｊを介してマイク１８と、レシーバ２０と、スピーカ２２とに電気的に接続される。音声処理部１２ａは、マイク１８から音声を電気信号として取得したり、出力させる音声の電気信号をレシーバ２０に送信したり、出力させる音声の電気信号をスピーカ２２に送信したりする。通信部１２ｂは、Ｉ／Ｏインターフェイス１２ｊを介して通信用アンテナ２９に電気的に接続される。通信部１２ｂは、他の携帯電話機との通信を行う。また、通信部１２ｂは、例えば、通信回線への接続も行う。表示制御部１２ｃは、Ｉ／Ｏインターフェイス１２ｊを介して画像表示パネル１４と電気的に接続され、画像表示パネル１４の動作を制御する。また、表示制御部１２ｃは、画像表示パネル１４に表示させる画像の生成も行う。
【００３２】
誘導部１２ｄは、表示制御部１２ｃと情報をやり取りする。誘導部１２ｄは、後述する案内情報として案内音声をスピーカ２２に出力させる。また、誘導部１２ｄは、後述する案内情報として案内画像を表示制御部１２ｃに生成させるとともに、表示制御部１２ｃを介して画像表示パネル１４に案内画像を表示させる。放送信号受信部１２ｅは、Ｉ／Ｏインターフェイス１２ｊを介して地上デジタル放送用受信アンテナ２８と電気的に接続される。放送信号受信部１２ｅは、地上デジタル放送用受信アンテナ２８からテレビジョン放送の信号を取得する。
【００３３】
信号強度算出部１２ｆは、放送信号受信部１２ｅから情報を取得できるように構成される。信号強度算出部１２ｆは、放送信号受信部１２ｅが取得したテレビジョン放送の信号の強度を導き出す。具体的には、信号強度算出部１２ｆは、ＣＮ比（Carrier to Noise ratio）を算出する。ＣＮ比は、搬送波とノイズとの比であって、数値が大きいほど信号の受信状況が良好な状態を示す。地上デジタル放送では、ＣＮ比が所定の視聴可能値よりも大きければ、携帯電話機１は視聴に耐え得るテレビジョン放送をユーザーに提供できる。なお、視聴可能値は、所要ＣＮや、所要ＣＮ比と呼ばれる。また、携帯電話機１は、ＣＮ比が視聴可能値よりも大きく、ＣＮ比と視聴可能値との差が大きくなるほど、視聴に耐え得るテレビジョン放送をより安定してユーザーに提供できる。
【００３４】
受信時状態算出部１２ｇは、Ｉ／Ｏインターフェイス１２ｊを介してカメラ２４と、ＧＰＳアンテナ２６と、地磁気センサ３０と、加速度センサ３２と、気圧センサ３４とに電気的に接続される。受信時状態算出部１２ｇは、ＧＰＳアンテナ２６から取得した信号に基づいて、地上デジタル放送用受信アンテナ２８の現在の水平位置を算出（取得）する。また、受信時状態算出部１２ｇは、カメラ２４から地上デジタル放送用受信アンテナ２８の現在の位置及び姿勢を示す情報として、カメラ２４が撮像した案内用撮像画像を取得する。また、受信時状態算出部１２ｇは、地上デジタル放送用受信アンテナ２８の現在の姿勢を示す情報として、地磁気センサ３０から取得した信号に基づいて、地磁気の方向に対する地上デジタル放送用受信アンテナ２８の方向を算出（取得）する。
【００３５】
また、受信時状態算出部１２ｇは、地上デジタル放送用受信アンテナ２８の現在の姿勢を示す情報として、加速度センサ３２から取得した信号に基づいて、地上デジタル放送用受信アンテナ２８の傾きを算出（取得）する。また、受信時状態算出部１２ｇは、地上デジタル放送用受信アンテナ２８の現在の姿勢を示す情報として、気圧センサ３４から取得した信号に基づいて、地上デジタル放送用受信アンテナ２８がある位置の高度を算出（取得）する。
【００３６】
主処理部１２ｈは、音声処理部１２ａから受信時状態算出部１２ｇまでの各部を統括して制御する。また、主処理部１２ｈは、記憶部１２ｉと電気的に接続され、記憶部１２ｉに記憶されている情報を記憶部１２ｉから取得したり、記憶部１２ｉに情報を格納したりする。また、主処理部１２ｈは、Ｉ／Ｏインターフェイス１２ｊを介して操作部１６と電気的に接続されて、ユーザーが操作部１６に入力した指令を操作部１６から取得する。主処理部１２ｈは、記憶部１２ｉと音声処理部１２ａから受信時状態算出部１２ｇの各部との間に介在されて、記憶部１２ｉと音声処理部１２ａから受信時状態算出部１２ｇの各部との情報のやり取りも行う。
【００３７】
記憶部１２ｉは、例えば、オペレーティングシステムプログラムや、アプリケーションプログラム、その他各部の制御に必要なプログラムが記憶されている。また、記憶部１２ｉは、放送信号受信部１２ｅが算出した信号の強度に関する強度情報と、受信時状態算出部１２ｇが算出した地上デジタル放送用受信アンテナ２８の位置に関する位置情報とを互いに関連付けて記憶する。さらに、記憶部１２ｉは、強度情報と、受信時状態算出部１２ｇが算出した地上デジタル放送用受信アンテナ２８の姿勢に関する姿勢情報とを互いに関連付けて記憶する。また、記憶部１２ｉは、誘導部１２ｄがユーザーに対する報知を実行する際に用いる音声や画像を記憶する。
【００３８】
次に、テレビジョン放送を視聴する際に要するユーザーの手間を低減するために、制御装置１２が実行する一連の手順を説明する。ここで、制御装置１２は、２組の一連の手順を実行する。その２組のうち、一方を学習手順といい、他方を案内手順という。まずは、学習手順を説明する。
【００３９】
図４は、制御装置が実行する学習手順を示すフローチャートである。ステップＳＴ１０１で、図３に示す信号強度算出部１２ｆは、ＣＮ比を算出する。次にステップＳＴ１０２で、主処理部１２ｈは、携帯電話機１がテレビジョン放送を安定して再生できているか否かを判断する。具体的には、主処理部１２ｈは、まず、テレビジョン放送の再生が開始されてからの経過した時間で、ＣＮ比が連続して視聴可能値を超えていた時間Ｔを計測する。そして、主処理部１２ｈは、時間Ｔが所定時間Ｔｓ以上である場合に、携帯電話機１がテレビジョン放送を安定して再生できていると判断する。
【００４０】
ここで、視聴可能値は、本実施形態の携帯電話機１に限らず、一般的に用いられる値であって、具体的には、ワンセグの場合１０ｄＢである。なお、視聴可能値は、ワンセグとフルセグとで異なったり、チューナーによって異なったりする。また、所定時間Ｔｓは、時間Ｔが所定時間Ｔｓ以上である場合に、携帯電話機１がテレビジョン放送を安定して再生できていると判断できる値であり、例えば、１０秒である。なお、時間Ｔが所定時間Ｔｓ以上であるという条件下では、所定時間Ｔｓが大きくなればなるほど、携帯電話機１は、テレビジョン放送をより安定して再生できていることになる。
【００４１】
携帯電話機１がテレビジョン放送を安定して再生できていない場合（ステップＳＴ１０２、Ｎｏ）、制御装置１２は、ステップＳＴ１０１に戻り、ステップＳＴ１０１以降の各手順を実行しなおす。携帯電話機１がテレビジョン放送を安定して再生できている場合（ステップＳＴ１０２、Ｙｅｓ）、ステップＳＴ１０３で、受信時状態算出部１２ｇは、地上デジタル放送用受信アンテナ２８の位置及び地上デジタル放送用受信アンテナ２８の姿勢を算出（取得）する。例えば、受信時状態算出部１２ｇは、ＧＰＳアンテナ２６から取得した信号に基づいて、地上デジタル放送用受信アンテナ２８の水平位置を算出（取得）する。また、受信時状態算出部１２ｇは、気圧センサ３４から取得した信号に基づいて、地上デジタル放送用受信アンテナ２８の高度を算出（取得）する。また、受信時状態算出部１２ｇは、地磁気センサ３０から取得した信号に基づいて、地上デジタル放送用受信アンテナ２８の向きを算出（取得）する。また、受信時状態算出部１２ｇは、加速度センサ３２から取得した信号に基づいて、地上デジタル放送用受信アンテナ２８の傾きを算出（取得）する。また、受信時状態算出部１２ｇは、携帯電話機１の現在の位置及び姿勢で撮像された案内用撮像画像をカメラ２４から取得する。
【００４２】
図５は、ＣＮ比と、地上デジタル放送用受信アンテナの位置及び姿勢との関係を示す図表である。ステップＳＴ１０４で、主処理部１２ｈは、ステップＳＴ１０３で算出した各値を、ステップＳＴ１０１で算出したＣＮ比と関連付けて記憶部１２ｉに記憶させる。具体的には、主処理部１２ｈは、図５に示すように、強度情報として現在のＣＮ比と、位置情報として地上デジタル放送用受信アンテナ２８の現在の水平位置に関する水平位置情報と、姿勢情報として地上デジタル放送用受信アンテナ２８の現在の向きに関する方向情報と、姿勢情報として地上デジタル放送用受信アンテナ２８の現在の傾きに関する傾き情報と、位置情報として地上デジタル放送用受信アンテナ２８の高度に関する高度情報と、位置及び姿勢を示す情報としてカメラ２４が撮像した案内用撮像画像とを記憶部１２ｉに記憶させる。また、主処理部１２ｈは、どの程度安定してテレビジョン放送をユーザーに提供できたか否かの指標として、テレビジョン放送の再生時間も現在のＣＮ比に関連付けて、記憶部１２ｉに記憶させる。
【００４３】
次に、制御装置１２は、図４に示すステップＳＴ１０５及びステップＳＴ１０６を実行する。ここで、ステップＳＴ１０５は、学習手順の実行を終了するか否かを判断するためのステップである。また、ステップＳＴ１０６は、学習手順を反復させるか否かを判断するためステップである。ステップＳＴ１０５で、主処理部１２ｈは、テレビジョン放送を再生中か否かを判断する。制御装置１２は、テレビジョン放送を再生中の場合、放送信号受信部１２ｅが地上デジタル放送用受信アンテナ２８からテレビジョン放送の信号を取得し、表示制御部１２ｃが画像表示パネル１４にテレビジョン放送の画像を表示し、音声処理部１２ａがスピーカ２２からテレビジョン放送の音声を出力する。主処理部１２ｈは、これらの処理がなされているか否に基づいて、テレビジョン放送を再生中か否かを判断する。
【００４４】
テレビジョン放送が再生されていない場合（ステップＳＴ１０５、Ｎｏ）、制御装置１２は、学習手順を終了する。テレビジョン放送が再生されている場合（ステップＳＴ１０５、Ｙｅｓ）、ステップＳＴ１０６で、主処理部１２ｈは、地上デジタル放送用受信アンテナ２８の位置又は姿勢が変化したか否かを判断する。具体的には、主処理部１２ｈは、地上デジタル放送用受信アンテナ２８の現在の水平位置と、地上デジタル放送用受信アンテナ２８の現在の向きと、地上デジタル放送用受信アンテナ２８の現在の傾きと、地上デジタル放送用受信アンテナ２８の高度と、位置情報及び姿勢情報としてカメラ２４が撮像した現在の案内用撮像画像とを更新する。そして、主処理部１２ｈは、少なくとも１つが前回の値又は案内用撮像画像から変化した場合に、地上デジタル放送用受信アンテナ２８の位置又は姿勢が変化したと判断する。
【００４５】
地上デジタル放送用受信アンテナ２８の位置又は姿勢が変化した場合（ステップＳＴ１０６、Ｙｅｓ）、制御装置１２は、ステップＳＴ１０１に戻り、ステップＳＴ１０１以降のステップを再度実行する。地上デジタル放送用受信アンテナ２８の位置又は姿勢が変化していない場合（ステップＳＴ１０６、Ｎｏ）、制御装置１２は、ステップＳＴ１０５に戻る。すなわち、制御装置１２は、テレビジョン放送の再生が終了するまで、地上デジタル放送用受信アンテナ２８の位置又は姿勢が変化する度に、ステップＳＴ１０１からステップＳＴ１０４までを繰り返し実行する。これにより、主処理部１２ｈは、図５に示すように、地上デジタル放送用受信アンテナ２８の位置情報と、地上デジタル放送用受信アンテナ２８の姿勢情報と、ＣＮ比とをそれぞれ関連付けた情報を学習データとして記憶部１２ｉに蓄積できる。次に、案内手順について説明する。
【００４６】
図６は、制御装置が実行する案内手順を示すフローチャートである。ステップＳＴ２０１で、図３に示す信号強度算出部１２ｆは、ＣＮ比を算出する。次にステップＳＴ２０２で、主処理部１２ｈは、現在のＣＮ比が視聴可能値よりも大きいか否かを判断する。現在のＣＮ比が視聴可能値よりも大きい場合（ステップＳＴ２０２、Ｙｅｓ）、制御装置１２は、案内手順を終了する。現在のＣＮ比が視聴可能値以下である場合（ステップＳＴ２０２、Ｎｏ）、ステップＳＴ２０３で、受信時状態算出部１２ｇは、ＧＰＳアンテナ２６から取得した信号に基づいて、地上デジタル放送用受信アンテナ２８の水平位置を算出（取得）する。
【００４７】
次に、ステップＳＴ２０４で、主処理部１２ｈは、記憶部１２ｉに少なくとも１つ以上記憶されている地上デジタル放送用受信アンテナ２８の水平位置情報の中に、地上デジタル放送用受信アンテナ２８の現在の水平位置の近傍に該当する水平位置情報があるか否かを判断する。ここでいう近傍とは、記憶部１２ｉに記憶されている水平位置が算出された際の地上デジタル放送用受信アンテナ２８の位置と、地上デジタル放送用受信アンテナ２８の現在の位置とが、例えば同一の建物内であると判断できる範囲をいう。本実施形態では、例えば、主処理部１２ｈは、記憶部１２ｉに少なくとも１つ以上記憶されている地上デジタル放送用受信アンテナ２８の水平位置情報の中に、地上デジタル放送用受信アンテナ２８の現在の水平位置から半径５ｍ以内に該当する水平位置情報があるか否かを判断する。
【００４８】
ここで、主処理部１２ｈは、記憶部１２ｉに少なくとも１つ以上記憶されている地上デジタル放送用受信アンテナ２８の高度情報の中に、地上デジタル放送用受信アンテナ２８の現在の高度の近傍に該当する高度情報があるか否かも判断すると好ましい。ここでいう近傍とは、記憶部１２ｉに記憶されている高度情報が算出された際の地上デジタル放送用受信アンテナ２８の高度と、地上デジタル放送用受信アンテナ２８の現在の高度とが、例えば同一階であると判断できる範囲をいう。本実施形態では、例えば、主処理部１２ｈは、記憶部１２ｉに少なくとも１つ以上記憶されている地上デジタル放送用受信アンテナ２８の高度情報の中に、地上デジタル放送用受信アンテナ２８の現在の高度から半径１ｍ以内に該当する高度情報があるか否かを判断する。これにより、制御装置１２は、地上デジタル放送用受信アンテナ２８の現在の位置により近い位置情報を記憶部１２ｉの中から導き出せる。
【００４９】
記憶部１２ｉに少なくとも１つ以上記憶されている地上デジタル放送用受信アンテナ２８の水平位置情報の中に、地上デジタル放送用受信アンテナ２８の現在の水平位置の近傍に該当する水平位置情報がない場合（ステップＳＴ２０４、Ｎｏ）、制御装置１２は、図４に示す学習手順を実行する。これにより、制御装置１２は、新たな水平位置で、テレビジョン放送を安定して再生できる地上デジタル放送用受信アンテナ２８の位置及び姿勢を記憶部１２ｉに記憶させることができる。記憶部１２ｉに少なくとも１つ以上記憶されている地上デジタル放送用受信アンテナ２８の水平位置情報の中に、地上デジタル放送用受信アンテナ２８の現在の水平位置の近傍に該当する水平位置情報がある場合（ステップＳＴ２０４、Ｙｅｓ）、ステップＳＴ２０５で、誘導部１２ｄは、地上デジタル放送用受信アンテナ２８の現在の位置及び姿勢が、テレビジョン放送を安定して再生できる地上デジタル放送用受信アンテナ２８の位置及び姿勢になるように、ユーザーに案内情報を提供する。次に、ユーザーに提供する案内情報の一例を説明する。
【００５０】
図７は、画像表示パネルに表示される案内情報としての第１案内画像を示す説明図である。表示制御部１２ｃは、図７に示すように、映像表示領域３６と、案内矢印表示領域３８と、近傍画像表示領域４０とを画像表示パネル１４に設ける。映像表示領域３６は、テレビジョン放送の映像を表示させるための領域である。案内矢印表示領域３８は、地上デジタル放送用受信アンテナ２８の現在の水平位置から、良好位置に向かう方向を矢印で示す。ここで、良好位置とは、記憶部１２ｉに記憶されている位置情報が示す位置であって、ＣＮ比が視聴可能値よりも大きくなる地上デジタル放送用受信アンテナ２８の位置である。
【００５１】
主処理部１２ｈは、まず、現在の水平位置情報と良好位置での水平位置情報とに基づいて、地上デジタル放送用受信アンテナ２８を移動させるべき方向を算出する。次に、主処理部１２ｈは、地上デジタル放送用受信アンテナ２８を移動させるべき方向と、現在の地上デジタル放送用受信アンテナ２８の向きとに基づいて、案内矢印表示領域３８に表示させる矢印の方向を決定する。次に、誘導部１２ｄは、表示制御部１２ｃに指令を出して、案内矢印表示領域３８に矢印を表示させる。この構成により、ユーザーは、前記矢印が指し示す方向に携帯電話機１を持って移動することで、地上デジタル放送用受信アンテナ２８の水平位置を良好位置に近づけることができる。したがって、携帯電話機１は、ユーザーが地上デジタル放送用受信アンテナ２８の位置を調節するのに要する手間を低減できる。
【００５２】
近傍画像表示領域４０は、良好位置でカメラ２４が過去に撮像した案内用撮像画像を表示させるための領域である。近傍画像表示領域４０に表示される案内用撮像画像は、ＣＮ比が視聴可能値よりも大きくなる地上デジタル放送用受信アンテナ２８の位置及び姿勢を示す画像である。主処理部１２ｈは、まず、地上デジタル放送用受信アンテナ２８の現在の水平位置に基づいて、記憶部１２ｉに記憶されている水平位置情報を検索する。地上デジタル放送用受信アンテナ２８の現在の水平位置の近傍を示す水平位置情報を見つけ出すと、誘導部１２ｄは、前記水平位置情報に関連付けした案内用撮像画像を近傍画像表示領域４０に表示させる。すなわち、誘導部１２ｄは、過去に安定してテレビジョン放送を再生できた際にカメラ２４が撮像した案内用撮像画像を、近傍画像表示領域４０に表示させる。これにより、ユーザーは、この案内用撮像画像を確認しつつ、この案内用撮像画像を目標として、携帯電話機１の位置及び姿勢を調節できる。結果として、携帯電話機１は、ユーザーが地上デジタル放送用受信アンテナ２８の位置及び姿勢を調節するのに要する手間を低減できる。
【００５３】
図８は、画像表示パネルに表示される案内情報としての第２案内画像を示す説明図である。地上デジタル放送用受信アンテナ２８の現在の水平位置と、良好位置との差が所定のモード切替値以下になると、誘導部１２ｄは、ユーザーに提供する案内情報の種類を切り替える。具体的には、誘導部１２ｄは、画像表示パネル１４に表示させる案内画像を、図７に示す第１案内画像から、図８に示す第２案内画像に切り替える。ここで、前記モード切替値は、地上デジタル放送用受信アンテナ２８の現在の水平位置と、良好位置との差がモード切替値以下になった場合に、より詳細な案内画像である第２案内画像をユーザーが希望すると判断できる値である。
【００５４】
誘導部１２ｄは、図８に示すように、映像表示領域３６と、三次元モデル表示領域４２と、高度案内矢印表示領域４４と、回動方向案内画像表示領域４６とを画像表示パネル１４に設ける。三次元モデル表示領域４２は、地上デジタル放送用受信アンテナ２８の現在の水平位置及び高度を三次元で示す案内画像が表示される領域である。制御装置１２は、まず、受信時状態算出部１２ｇが地上デジタル放送用受信アンテナ２８の現在の水平位置及び高度を算出（取得）する。次に受信時状態算出部１２ｇは、地上デジタル放送用受信アンテナ２８の現在の水平位置及び高度を示す現在位置ポイント４８を、例えば円や矩形等の画像で三次元モデル表示領域４２に表示させる。また、制御装置１２は、ユーザーに目標とさせる良好位置を示す目標位置ポイント５０を、例えば現在位置ポイント４８とは異なる形状や色の案内画像で三次元モデル表示領域４２に示す。
【００５５】
ここで、ユーザーが携帯電話機１を移動させると、誘導部１２ｄは、三次元モデル表示領域４２に表示させる現在位置ポイント４８を更新する。すなわち、誘導部１２ｄは、ユーザーが携帯電話機１を移動させた動きと同様に、三次元モデル表示領域４２に表示させる現在位置ポイント４８を移動させるように案内画像を三次元モデル表示領域４２に表示させる。ここで、例えば、現在位置ポイント４８が円である場合、誘導部１２ｄは、現在位置ポイント４８が転がって目標位置ポイント５０に向かうようなアニメーションを三次元モデル表示領域４２に表示させる。上記構成により、ユーザーは、三次元モデル表示領域４２に示される現在位置ポイント４８を目標位置ポイント５０に近づけるように携帯電話機１を移動させることで、地上デジタル放送用受信アンテナ２８の水平位置及び高度を調節できる。したがって、携帯電話機１は、ユーザーが地上デジタル放送用受信アンテナ２８の位置を調節するのに要する手間を低減できる。
【００５６】
高度案内矢印表示領域４４は、地上デジタル放送用受信アンテナ２８の現在の高度を示す案内画像が表示される領域である。受信時状態算出部１２ｇは、まず、主処理部１２ｈが地上デジタル放送用受信アンテナ２８の現在の高度を算出（取得）する。次に主処理部１２ｈは、ユーザーに目標とさせる良好位置の高度を主処理部１２ｈが記憶部１２ｉから取得する。誘導部１２ｄは、地上デジタル放送用受信アンテナ２８の現在の高度と、良好位置の高度とに基づいて、鉛直方向の２方向うち、地上デジタル放送用受信アンテナ２８を移動させるべき方向の矢印を案内画像として高度案内矢印表示領域４４に表示させる。この構成により、ユーザーは、高度案内矢印表示領域４４に表示される矢印を確認しながら、携帯電話機１の高度を調節できる。これにより、携帯電話機１は、ユーザーが地上デジタル放送用受信アンテナ２８の高度を調節するのに要する手間を低減できる。
【００５７】
ここで、例えば、制御装置１２は、高度案内矢印表示領域４４に鉛直方向の２方向の矢印を合計２つ表示させ、地上デジタル放送用受信アンテナ２８を移動させるべき方向の矢印のみを例えば点滅させるように矢印を案内画像として高度案内矢印表示領域４４に表示させてもよい。この構成の場合、誘導部１２ｄは、地上デジタル放送用受信アンテナ２８の現在の高度と、良好位置の高度との差が小さくなるほど、高度案内矢印表示領域４４に表示される矢印を点滅させる速度を速くすると好ましい。この構成の場合、携帯電話機１は、矢印の点滅速度に基づいて、地上デジタル放送用受信アンテナ２８の現在の高度と、良好位置の高度との差をより直感的にユーザーに把握させることができる。
【００５８】
回動方向案内画像表示領域４６は、地上デジタル放送用受信アンテナ２８の姿勢を調節するための案内画像が表示される領域である。まず、受信時状態算出部１２ｇは、地上デジタル放送用受信アンテナ２８の現在の方向及び傾きを算出（取得）する。次に、主処理部１２ｈは、ユーザーに目標とさせる良好姿勢の方向及び傾きを記憶部１２ｉから取得する。ここで、良好姿勢とは、記憶部１２ｉに記憶されている姿勢情報が示す姿勢であって、ＣＮ比が視聴可能値よりも大きくなる地上デジタル放送用受信アンテナ２８の姿勢である。
【００５９】
制御装置１２は、地上デジタル放送用受信アンテナ２８の現在の方向と、良好姿勢の方向とに基づいて、鉛直方向に沿う軸を中心として携帯電話機１を回動させるべき方向を、案内画像として矢印で回動方向案内画像表示領域４６に表示させる。また、制御装置１２は、地上デジタル放送用受信アンテナ２８の現在の傾きと、良好姿勢の傾きとに基づいて、水平面に平行な軸を中心として携帯電話機１を回動させるべき方向を、案内画像として矢印で回動方向案内画像表示領域４６に表示させる。この構成により、ユーザーは、回動方向案内画像表示領域４６に表示される矢印を確認しながら、携帯電話機１の方向及び傾きを調節できる。これにより、携帯電話機１は、ユーザーが地上デジタル放送用受信アンテナ２８の方向及び傾きを調節するのに要する手間を低減できる。
【００６０】
ここで、誘導部１２ｄが画像表示パネル１４に表示させる案内画像は、図７及び図８に示すような図形に限定されない。誘導部１２ｄは、ユーザーを導くための文言に対応する画像、いわゆるテキスト画像を画像表示パネル１４に表示させてもよい。この場合の案内画像は、例えば、「あと１ｍ直進してください」「あと５０ｃｍ上にあげてください」「あと１０度ほど時計回りに回転させてください」「あと１０度ほど傾けてください」等のテキスト画像である。この構成であっても、携帯電話機１は、ユーザーが画像表示パネル１４に表示された案内画像を確認することで、ユーザーが地上デジタル放送用受信アンテナ２８の位置及び姿勢を調節できる。
【００６１】
誘導部１２ｄは、案内用画像とともに、スピーカ２２から案内用音声を出力させてもよい。この場合の案内音声とは、図７及び図８に示す案内画像の代替となり得る音声ガイドである。案内音声とは、例えば、「あと１ｍ直進してください」「あと５０ｃｍ上にあげてください」「あと１０度ほど時計回りに回転させてください」「あと１０度ほど傾けてください」等の音声である。この構成により、携帯電話機１は、ユーザーが画像表示パネル１４を確認することなく、ユーザーが地上デジタル放送用受信アンテナ２８の位置及び姿勢を調節できる。
【００６２】
なお、誘導部１２ｄは、例えば、画像表示パネル１４に案内画像を表示させずに、スピーカ２２から案内音声のみを出力させる構成でもよい。この場合であっても、ユーザーが音声案内に従うことにより、携帯電話機１は、ユーザーが地上デジタル放送用受信アンテナ２８の位置及び姿勢を調節するために要する手間を低減できる。但し、案内画像を用いた方が、携帯電話機１は、目標とする地上デジタル放送用受信アンテナ２８の良好位置や、地上デジタル放送用受信アンテナ２８の良好姿勢を、視覚を用いてユーザーに伝えることができる。
【００６３】
ここで、案内手順の説明に戻る。図６に示すステップＳＴ２０５を実行すると、ステップＳＴ２０６で、主処理部１２ｈは、現在のＣＮ比が視聴可能値よりも大きいか否かを判断する。現在のＣＮ比が視聴可能値以下である場合（ステップＳＴ２０６、Ｎｏ）、制御装置１２は、ステップＳＴ２０５を再度実行する。すなわち、制御装置１２は、現在のＣＮ比が視聴可能値よりも大きくなるまで、誘導部１２ｄによる地上デジタル放送用受信アンテナ２８の案内を続ける。すなわち、制御装置１２は、現在のＣＮ比が視聴可能値よりも大きくなるまで、誘導部１２ｄが画像表示パネル１４に案内画像の表示を続ける。現在のＣＮ比が視聴可能値よりも大きい場合（ステップＳＴ２０６、Ｙｅｓ）、制御装置１２は、案内手順を終了する。
【００６４】
上記の学習手順及び案内手順を実行することにより、制御装置１２は、テレビジョン放送の信号の強度を信号強度算出部１２ｆが算出し、信号の強度が所定の視聴可能値よりも大きい際に、地上デジタル放送用受信アンテナ２８の位置及び姿勢を受信時状態算出部１２ｇが算出する。そして、制御装置１２は、強度情報と、地上デジタル放送用受信アンテナ２８の位置情報及び姿勢情報とを関連付けて記憶部１２ｉが記憶する。そして、制御装置１２は、地上デジタル放送用受信アンテナ２８の位置が、記憶部１２ｉに記憶されている位置及び姿勢となるように、地上デジタル放送用受信アンテナ２８を導かせる情報を、誘導部１２ｄがユーザーに提供する。ユーザーは、誘導部１２ｄから提供された情報に基づいて携帯電話機１を移動させることにより、地上デジタル放送用受信アンテナ２８の位置及び姿勢を調節できる。これによって、携帯電話機１は、ユーザーが地上デジタル放送用受信アンテナ２８の位置及び姿勢を調節するのに要する手間を低減できる。
【００６５】
ここで、本実施形態では、ＣＮ比が視聴可能値を超えた際の地上デジタル放送用受信アンテナ２８の水平位置情報と、高度情報と、方向情報と、傾き情報と、案内用撮像画像と、信号の強度情報とを関連付けて記憶部１２ｉに記憶させる構成の携帯電話機を説明したが、携帯電話機の構成は上記構成に限定されない。携帯電話機は、少なくとも地上デジタル放送用受信アンテナ２８の現在の水平位置と、信号の強度情報とを関連付けて記憶部１２ｉに記憶させる構成であればよい。少なくとも地上デジタル放送用受信アンテナ２８の現在の水平位置と、信号の強度情報とを関連付けて記憶部１２ｉに記憶させる構成であれば、携帯電話機１は、ＣＮ比が視聴可能値よりも大きくなるように、地上デジタル放送用受信アンテナ２８を導くために最低限必要な情報をユーザーに提供できる。
【００６６】
地上デジタル放送用受信アンテナ２８を導くためにより有効な情報の順番としては、有効な順に、地上デジタル放送用受信アンテナ２８の現在の水平位置情報、案内用撮像画像、地上デジタル放送用受信アンテナ２８の方向情報、地上デジタル放送用受信アンテナ２８の傾き情報、地上デジタル放送用受信アンテナ２８の高度情報の順である。携帯電話機１は、これらの情報を学習データとして記憶部１２ｉに蓄積することにより、目標とする良好位置及び良好姿勢へ地上デジタル放送用受信アンテナ２８を導くためのより正確な情報をユーザーに提供できる。また、水平位置情報に加えて高度情報を記憶部１２ｉに記憶させることにより、主処理部１２ｈは、地上デジタル放送用受信アンテナ２８の現在の位置が、過去にテレビジョン放送を再生したことがある位置であるか否かをより正確に判断できる。結果として、携帯電話機１は、地上デジタル放送用受信アンテナ２８を目標とする良好位置及び良好姿勢へ導くためのより正確な情報をユーザーに提供できる。
【００６７】
また、学習データをより多く蓄積するための技術として、例えば、携帯電話機１は、サーバーと情報をやり取りできるように構成されると好ましい。携帯電話機１は、例えば無線でサーバーと情報をやり取りする。この場合、サーバーには、他の携帯電話機や、通信機器を備える携帯テレビジョン装置から取得した学習データ、すなわち、安定してテレビジョン放送を再生できる地上デジタル放送用受信アンテナ２８の現在の水平位置情報や、案内用撮像画像や、地上デジタル放送用受信アンテナ２８の方向情報や、地上デジタル放送用受信アンテナ２８の傾き情報や、地上デジタル放送用受信アンテナ２８の高度情報が蓄積される。携帯電話機１は、サーバーからこれらの学習データを取得することにより、例えば、ユーザーの携帯電話機１が過去にその位置でテレビジョン放送を再生したことがない場合であっても、安定してテレビジョン放送を再生できる地上デジタル放送用受信アンテナ２８の位置及び姿勢に関する案内情報をユーザーに提供できる。したがって、携帯電話機１は、より好適にテレビジョン放送を再生するために要するユーザーの手間を低減できる。
【産業上の利用可能性】
【００６８】
以上のように、本発明に係る携帯テレビジョン装置は、テレビジョン放送を再生するために要するユーザーの手間を低減することに有用である。
【符号の説明】
【００６９】
１  携帯電話機
１０  筐体
１０ａ  第１筐体
１０ｂ  第２筐体
１２  制御装置
１２ａ  音声処理部
１２ｂ  通信部
１２ｃ  表示制御部
１２ｄ  誘導部
１２ｅ  放送信号受信部
１２ｆ  信号強度算出部
１２ｇ  受信時状態算出部
１２ｈ  主処理部
１２ｉ  記憶部
１２ｊ  Ｉ／Ｏインターフェイス
１４  画像表示パネル
１６  操作部
１８  マイク
２０  レシーバ
２２  スピーカ
２４  カメラ
２６  ＧＰＳアンテナ
２８  地上デジタル放送用受信アンテナ
３０  地磁気センサ
３２  加速度センサ
３４  気圧センサ
３６  映像表示領域
３８  案内矢印表示領域
４０  近傍画像表示領域
４２  三次元モデル表示領域
４４  高度案内矢印表示領域
４６  回動方向案内画像表示領域
４８  現在位置ポイント
５０  目標位置ポイント
【図１】
0005409168.tif 000002
【図２】
0005409168.tif 000003
【図３】
0005409168.tif 000004
【図４】
0005409168.tif 000005
【図５】
0005409168.tif 000006
【図６】
0005409168.tif 000007
【図７】
0005409168.tif 000008
【図８】
0005409168.tif 000009